(57)【要約】【課題】  軸の係入作業なしに支柱の高さを簡便に変更できる組立式棚を提供する。【解決手段】  少なくとも一対の自立する支柱２と、支柱２に形成される溝間に橋架する棚板３とからなり、  前記支柱２が、鍔状部材６を所定数積重ねたものであって、  鍔状部材６が、板状の部材の上面の中央部に嵌合凸部９を、下面の中央部に柱状部材１０を、それぞれ突設したものであり、さらに、柱状部材１０の底面中央部に前記嵌合凸部９と嵌合する嵌合凹部１１を設ける。  そして、鍔状部材６を積重ねた際に、上段の鍔状部材６の底面が下段の鍔状部材６の板状の部材に接するようにする。【選択図】  図２
2006262947.tif 000002
【特許請求の範囲】
【請求項１】
少なくとも一対の自立する支柱と、支柱に形成される溝間に橋架する棚板とからなり、
前記支柱が、鍔状部材を所定数積重ねたものであって、
鍔状部材が、板状の部材の上面の中央部に嵌合凸部を、下面の中央部に柱状部材を、それぞれ突設したものであり、
さらに、柱状部材の底面中央部に前記嵌合凸部と嵌合する嵌合凹部を設け、
しかして、鍔状部材を積重ねた際に、上段の鍔状部材の底面が下段の鍔状部材の板状の部材に接することを特徴とする組立式棚。
【請求項２】
前記支柱を、鍔状部材に加え、最上段に天板部材を最下段に底板部材を連結するものとし、
天板部材が、上面が平坦で、下面に前記鍔状部材の嵌合凸部と嵌合する嵌合凹部を備え、
底板部材が、下面が平坦で、上面に前記柱状部材の嵌合凹部と嵌合する嵌合凸部を備えることを特徴とする請求項１に記載の組立式棚。
【請求項３】
前記柱状部材の下端部分に、柱状部材の他の部分よりも大面積の接地部材を一体に取付けたことを特徴とする請求項１に記載の組立式棚。
【発明の詳細な説明】
【技術分野】
【０００１】
本発明は、支柱が自立する形式の組立式棚の改良に関する。
【背景技術】
【０００２】
誰でも特殊な道具なしで簡単に横幅や棚の位置などを変更できる組立式の棚を、本発明者は既に出願している（特許文献１参照）。
【０００３】
しかし、支柱の高さを変更する場合には、支柱を構成する部材の係合穴にそれぞれ軸を係入して連結することが必要であり、この軸の係入作業が煩雑である。
【特許文献１】特開２００３−２１９９２４号公報
【発明の開示】
【発明が解決しようとする課題】
【０００４】
そこで、軸の係入作業なしに支柱の高さを簡便に変更できる組立式棚を提供することを目的とする。
【課題を解決するための手段】
【０００５】
上記課題を解決するために本発明は、少なくとも一対の自立する支柱と、支柱に形成される溝間に橋架する棚板とからなり、
前記支柱が、鍔状部材を所定数積重ねたものであって、
鍔状部材が、板状の部材の上面の中央部に嵌合凸部を、下面の中央部に柱状部材を、それぞれ突設したものであり、
さらに、柱状部材の底面中央部に前記嵌合凸部と嵌合する嵌合凹部を設ける。
そして、鍔状部材を積重ねた際に、上段の鍔状部材の底面が下段の鍔状部材の板状の部材に接することを特徴とする。
また、前記支柱を、最上段に天板部材を最下段に底板部材を連結するものとし、
天板部材が、上面が平坦で、下面に前記鍔状部材の嵌合凸部と嵌合する嵌合凹部を備え、
底板部材が、下面が平坦で、上面に前記柱状部材の嵌合凹部と嵌合する嵌合凸部を備えるものとしてもよい。
また、柱状部材の下端部分に、柱状部材の他の部分よりも大面積の接地部材を一体に取付けてもよい。
【０００６】
鍔状部材の嵌合凸部を別の鍔状部材の嵌合凹部に嵌合させ、これを順次繰返して所望の高さの支柱にする。この支柱は、必要に応じ、上下に天板部材と底板部材を嵌合する。
【発明の効果】
【０００７】
本発明は、支柱を構成する鍔状部材、天板部材、底板部材を、それぞれに一体に設けた嵌合凸部と嵌合凹部を嵌合して組立てて支柱にする。よって、鍔状部材の数を変えることにより、支柱の高さを変更できる。また、軸の係入作業なしに支柱の高さを変更できる。
また、請求項３の発明のように、柱状部材の底面部分に、柱状部材の他の部分よりも大面積の接地部材を一体に取付けると、鍔状部材間の結合が強固になり支柱が折曲し難くなる。また、鍔状部材だけで支柱を組立てた場合であっても、支柱が転倒し難くなる。
【発明を実施するための最良の形態】
【０００８】
以下に図面を参照して本発明の実施の形態を説明する。
図１は組立式棚の正面図、図２は支柱を構成する各部材を分離した状態の図、図３は天板部材の底面図、図４は底板部材の平面図、図５は鍔状部材の平面図、図６は鍔状部材の底面図である。
【０００９】
組立式棚１は、大きく分けて支柱２と棚板３からなる。
棚板３は、矩形状の板であり、例えば縦３５０ｍｍ、板厚１５ｍｍ、横６４０〜１８００ｍｍにする。この棚板３は、木材、プラスチック、金属などの硬質の材料で形成する。
【００１０】
支柱２は、天板部材４、底板部材５、及び鍔状部材６からなる。
天板部材４は、下面側中央部に嵌合凹部７を設けた板状の部材である。また、底板部材５は、上面側中央部に嵌合凸部８を一体に設けた板状の部材である。
鍔状部材６は、板状の部材であり、上面側中央部に嵌合凸部９を一体に設け、下面側中央部に柱状部材１０を一体に設ける。
この柱状部材１０は、前記嵌合凸部９より縦、横、高さをすべて大きく形成し、裏面側中央に嵌合凹部１１を設ける。また、柱状部材１０の高さは、棚板の板厚より大とする。
前記嵌合凹部７，１１は、図面上は断面矩形の穴であるが、断面円形や楕円形、正多角形など特に限定しない。
また、嵌合凹部７と嵌合凹部１１は同一形状にする。さらに、嵌合凸部８と嵌合凸部９も同一形状にすると共に、前記嵌合凹部７，１１にぴったりと嵌るよう、嵌合凹部７，１１の内周と嵌合凸部８，９の外周を同一形状にする。
これら天板部材４、底板部材５、及び鍔状部材６の材質は金属、木材、プラスチックなど硬質のものであればいずれであってもよいが、湿度や気温によっても寸法が変化せず、成形し易く、安価であるなどの点からプラスチックが最適である。
【００１１】
上記の棚板３，天板部材４，底板部材５，鍔状部材６は、下記のように組み立てて組立式棚１にする。
まず、底板部材５の嵌合凸部８と鍔状部材６の嵌合凹部１１とを嵌合して、底板部材５と鍔状部材６を連結する。
次に、この鍔状部材６の嵌合凸部９と別の鍔状部材６の嵌合凹部１１とを嵌合し、鍔状部材６の上に別の鍔状部材６を連結する。適宜これを繰り返して、鍔状部材６を複数個連結する。
次に、最上部にある鍔状部材６の嵌合凸部９と、天板部材４の嵌合凹部７とを嵌合して支柱２とする。
支柱２の高さは、鍔状部材６の個数を変更することにより、任意に設定できる。
この支柱２を複数用意すると共に、柱状部材１０により離間した鍔状部材６，６間、あるいは鍔状部材６と底板部材５との間に形成された溝に棚板３を適宜横架して、組立式棚１にする。
【００１２】
前記実施形態では、天板部材４と底板部材５を有するが、本発明はこれに限るものではなく、いずれかを省略しても、また場合によっては両方とも省略してもよい。
底板部材５を省略する場合、最下方の鍔状部材６の柱状部材１０が床などに接し支柱の自立状態を維持するので、図７に示す如く、柱状部材１０の下端部分に他の部分よりも面積が大きい接地部材１２を形成するとよい。
また、天板部材４、底板部材５、鍔状部材６は、いずれも平面視矩形状であるが、これに限るものではなく、平面視楕円形状等であってもよい。但し、矩形状にすると、棚板３との接触面積が増大し、棚板３を安定して保持できる。
【図面の簡単な説明】
【００１３】
【図１】組立式棚の正面図である。
【図２】支柱を構成する各部材を分離した状態の図である。
【図３】天板部材の底面図である。
【図４】底板部材の平面図である。
【図５】鍔状部材の平面図である。
【図６】鍔状部材の底面図である。
【図７】他の実施形態の鍔状部材の正面図である。
【符号の説明】
【００１４】
２    支柱
３    棚板
４    天板部材
５    底板部材
６    鍔状部材
７，１１  嵌合凹部
８，９    嵌合凸部
１０    柱状部材
【図１】
2006262947.tif 000003
【図２】
2006262947.tif 000004
【図３】
2006262947.tif 000005
【図４】
2006262947.tif 000006
【図５】
2006262947.tif 000007
【図６】
2006262947.tif 000008
【図７】
2006262947.tif 000009